【手続補正書】
【提出日】平成29年7月10日(2017.7.10)
【手続補正１】
【補正対象書類名】特許請求の範囲
【補正対象項目名】全文
【補正方法】変更
【補正の内容】
【特許請求の範囲】
【請求項１】
ワイヤレス通信の方法であって、
特定のエリア中で動作するとともに、認可共有アクセス（ＡＳＡ）スペクトルとは異なるスペクトル上で動作する複数の第１のワイヤレスデバイスから、測定報告を受信することと、
前記測定報告、構成調節情報、またはそれらの組合せに少なくとも部分的に基づいて、前記ＡＳＡスペクトル上で動作する少なくとも１つの第２のワイヤレスデバイス用の構成を調節することとを備える方法。
【請求項２】
前記構成は、前記複数の第１のワイヤレスデバイスを動作から除外するための除外ゾーンを備える、請求項１に記載の方法。
【請求項３】
前記除外ゾーンは、前記複数の第１のワイヤレスデバイスのいくつかのクラスについて指定される、請求項２に記載の方法。
【請求項４】
前記除外ゾーンは、前記ＡＳＡスペクトルの一部分に適用される、請求項２に記載の方法。
【請求項５】
前記特定のエリアは、少なくとも、前記除外ゾーン、前記除外ゾーンの境界からの特定の距離内、またはそれらの組合せのうちの１つの中にある、請求項２に記載の方法。
【請求項６】
前記調節することは、送信電力レベル、アンテナチルトパラメータ、アンテナ指向性、またはそれらの組合せのうちの少なくとも１つを制御することを備える、請求項１に記載の方法。
【請求項７】
前記調節することは、前記複数の第１のワイヤレスデバイスの前記少なくとも１つの、ロケーションに少なくとも部分的に基づいて、前記複数の第１のワイヤレスデバイスのうちの少なくとも１つが、前記ＡＳＡスペクトル上で動作し得るかどうか決定することを備える、請求項１に記載の方法。
【請求項８】
１次ユーザが前記特定のエリア中で前記ＡＳＡスペクトルを使うことになるという指示または予想される指示に応答して、前記測定報告を要求することをさらに備える、請求項１に記載の方法。
【請求項９】
前記測定報告をネットワークサーバに送信することをさらに備える、請求項１に記載の方法。
【請求項１０】
前記複数の第１のワイヤレスデバイスのうちの少なくとも１つは、前記少なくとも１つの第２のワイヤレスデバイス用の前記構成を調節するモバイルネットワークに登録される、請求項１に記載の方法。
【請求項１１】
前記測定報告は、前記複数の第１のワイヤレスデバイスの特性のうちの少なくとも１つを示し、前記複数の第１のワイヤレスデバイスのうちの優勢な第１のワイヤレスデバイスを識別し、電力低減または電源オフのために、前記複数の第１のワイヤレスデバイスのうちの特定の第１のワイヤレスデバイスを識別する、またはそれらの組合せである、請求項１に記載の方法。
【請求項１２】
各測定報告は、前記複数の第１のワイヤレスデバイスのうちの１つの、ロケーションを示す、請求項１に記載の方法。
【請求項１３】
前記測定報告を、前記構成調節情報にマップするように処理することをさらに備える、請求項１に記載の方法。
【請求項１４】
ワイヤレス通信のための装置であって、
特定のエリア中で動作するとともに、認可共有アクセス（ＡＳＡ）スペクトルとは異なるスペクトル上で動作する複数の第１のワイヤレスデバイスから、測定報告を受信するための手段と、
前記測定報告、構成調節情報、またはそれらの組合せに少なくとも部分的に基づいて、前記ＡＳＡスペクトル上で動作する少なくとも１つの第２のワイヤレスデバイス用の構成を調節するための手段とを備える装置。
【請求項１５】
実行されたとき、コンピュータに、請求項１ないし１３のいずれか一項に記載の方法を実行させる命令を備えたコンピュータプログラム。
【手続補正２】
【補正対象書類名】明細書
【補正対象項目名】０２０１
【補正方法】変更
【補正の内容】
【０２０１】
[0226]  上記の説明は、任意の当業者が、本明細書に記載の様々な態様を実施することを可能にするために提供されている。これらの態様に対する様々な修正は当業者には容易に明らかであり、本明細書に定義された一般的な原理は他の態様に適用され得る。したがって、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。項目のリスト「のうちの少なくとも１つ」を指す語句は、個々のメンバーを含む、それらの項目の任意の組合せを指す。一例として、「ａ、ｂまたはｃのうちの少なくとも１つ」は、ａと、ｂと、ｃと、ａおよびｂと、ａおよびｃと、ｂおよびｃと、ａ、ｂおよびｃとを包含するように意図されている。本明細書に記載されるように、「および／または」という用語の使用は、「包含的ＯＲ（inclusive OR）」を表すことを意図しており、「または」という用語の使用は、「排他的ＯＲ（exclusive OR）」を表すことを意図している。当業者に知られている、または後に知られることになる、本開示全体にわたって説明された様々な態様の要素のすべての構造的および機能的等価物は、参照により本明細書に明確に組み込まれ、特許請求の範囲に包含されるものである。その上、本明細書で開示されたいかなることも、そのような開示が特許請求の範囲に明示的に具陳されているかどうかにかかわらず、公に供するものではない。いかなるクレーム要素も、その要素が「ための手段」という語句を使用して明確に列挙されていない限り、または方法クレームの場合には、その要素が「ためのステップ」という語句を使用して列挙されていない限り、米国特許法第１１２条第６項の規定に基づいて解釈されるべきではない。
以下に本願の出願当初の特許請求の範囲に記載された発明を付記する。
［Ｃ１］  ワイヤレス通信の方法であって、
特定のエリア中で動作するとともに、認可共有アクセス（ＡＳＡ）スペクトルとは異なるスペクトル上で動作する複数の第１のワイヤレスデバイスから、測定報告を受信することと、
前記測定報告、構成調節情報、またはそれらの組合せに少なくとも部分的に基づいて、前記ＡＳＡスペクトル上で動作する少なくとも１つの第２のワイヤレスデバイス用の構成を調節することとを備える方法。
［Ｃ２］  前記構成は、前記複数の第１のワイヤレスデバイスを動作から除外するための除外ゾーンを備える、Ｃ１に記載の方法。
［Ｃ３］  前記除外ゾーンは、前記複数の第１のワイヤレスデバイスのいくつかのクラスについて指定される、Ｃ２に記載の方法。
［Ｃ４］  前記除外ゾーンは、前記ＡＳＡスペクトルの一部分に適用される、Ｃ２に記載の方法。
［Ｃ５］  前記特定のエリアは、少なくとも、前記除外ゾーン、前記除外ゾーンの境界からの特定の距離内、またはそれらの組合せのうちの１つの中にある、Ｃ２に記載の方法。
［Ｃ６］  前記調節することは、送信電力レベル、アンテナチルトパラメータ、アンテナ指向性、またはそれらの組合せのうちの少なくとも１つを制御することを備える、Ｃ１に記載の方法。
［Ｃ７］  前記調節することは、前記複数の第１のワイヤレスデバイスの前記少なくとも１つの、ロケーションに少なくとも部分的に基づいて、前記複数の第１のワイヤレスデバイスのうちの少なくとも１つが、前記ＡＳＡスペクトル上で動作し得るかどうか決定することを備える、Ｃ１に記載の方法。
［Ｃ８］  １次ユーザが前記特定のエリア中で前記ＡＳＡスペクトルを使うことになるという指示または予想される指示に応答して、前記測定報告を要求することをさらに備える、Ｃ１に記載の方法。
［Ｃ９］  前記複数の第１のワイヤレスデバイスが前記特定のエリア内にあるとき、前記複数の第１のワイヤレスデバイスに、測定値を収集するよう要求することをさらに備える、Ｃ８に記載の方法。
［Ｃ１０］  前記測定報告が特定の時間間隔内に伝達されるよう要求することをさらに備える、Ｃ８に記載の方法。
［Ｃ１１］  前記測定報告をネットワークサーバに送信することをさらに備える、Ｃ１に記載の方法。
［Ｃ１２］  前記ネットワークサーバはＡＳＡコントローラである、Ｃ１１に記載の方法。
［Ｃ１３］  前記ネットワークサーバは、ネットワーク事業者のオペレーション、アドミニストレーションおよびマネジメント（ＯＡＭ）ドメイン内にある、Ｃ１２に記載の方法。
［Ｃ１４］  前記構成は前記ＯＡＭドメイン内で調節され、前記方法は、少なくとも前記調節された構成、前記測定報告、構成調節情報、またはそれらの組合せを前記ＡＳＡコントローラに通知することをさらに備える、Ｃ１３に記載の方法。
［Ｃ１５］  前記複数の第１のワイヤレスデバイスのうちの少なくとも１つは、前記少なくとも１つの第２のワイヤレスデバイス用の前記構成を調節するモバイルネットワークに登録される、Ｃ１に記載の方法。
［Ｃ１６］  電力低減または電源オフが識別された、前記複数の第１のワイヤレスデバイスのうちの少なくとも１つに、前記測定報告を送信することをさらに備える、Ｃ１５に記載の方法。
［Ｃ１７］  前記測定報告は、前記複数の第１のワイヤレスデバイスの特性のうちの少なくとも１つを示し、前記複数の第１のワイヤレスデバイスのうちの優勢な第１のワイヤレスデバイスを識別し、電力低減もしくは電源オフ、またはそれらの組合せのために、前記複数の第１のワイヤレスデバイスのうちの特定の第１のワイヤレスデバイスを識別する、Ｃ１に記載の方法。
［Ｃ１８］  前記複数の第１のワイヤレスデバイスは、基地局、ユーザ機器（ＵＥ）、またはそれらの組合せのうちの少なくとも１つである、Ｃ１に記載の方法。
［Ｃ１９］  各測定報告は、前記複数の第１のワイヤレスデバイスのうちの１つの、ロケーションを示す、Ｃ１に記載の方法。
［Ｃ２０］  前記測定報告を、前記構成調節情報にマップするように処理することをさらに備える、Ｃ１に記載の方法。
［Ｃ２１］  ワイヤレス通信のための装置であって、
メモリユニットと、
前記メモリユニットに結合された少なくとも１つのプロセッサとを備え、前記少なくとも１つのプロセッサは、
特定のエリア中で動作するとともに、認可共有アクセス（ＡＳＡ）スペクトルとは異なるスペクトル上で動作する複数の第１のワイヤレスデバイスから、測定報告を受信するように、および
前記測定報告、構成調節情報、またはそれらの組合せに少なくとも部分的に基づいて、前記ＡＳＡスペクトル上で動作する少なくとも１つの第２のワイヤレスデバイス用の構成を調節するように構成される、装置。
［Ｃ２２］  前記構成は、前記複数の第１のワイヤレスデバイスを除外するための除外ゾーンを備える、Ｃ２１に記載の装置。
［Ｃ２３］  前記除外ゾーンは、前記複数の第１のワイヤレスデバイスのいくつかのクラスについて指定される、Ｃ２２に記載の装置。
［Ｃ２４］  前記除外ゾーンは、前記ＡＳＡスペクトルの一部分に適用される、Ｃ２２に記載の装置。
［Ｃ２５］  前記特定のエリアは、少なくとも、前記除外ゾーン、前記除外ゾーンの境界からの特定の距離内、またはそれらの組合せのうちの１つの中にある、Ｃ２２に記載の装置。
［Ｃ２６］  前記少なくとも１つのプロセッサは、送信電力レベル、アンテナチルトパラメータ、アンテナ指向性、またはそれらの組合せのうちの少なくとも１つを制御するようにさらに構成される、Ｃ２１に記載の装置。
［Ｃ２７］  前記少なくとも１つのプロセッサは、１次ユーザが前記特定のエリア中で前記ＡＳＡスペクトルを使うことになるという指示または予想される指示に応答して、前記測定報告を要求するようにさらに構成される、Ｃ２１に記載の装置。
［Ｃ２８］  前記測定報告は、前記複数の第１のワイヤレスデバイスの特性のうちの少なくとも１つを示し、前記複数の第１のワイヤレスデバイスのうちの優勢な第１のワイヤレスデバイスを識別し、電力低減もしくは電源オフ、またはそれらの組合せのために、前記複数の第１のワイヤレスデバイスのうちの特定の第１のワイヤレスデバイスを識別する、Ｃ２１に記載の装置。
［Ｃ２９］  ワイヤレス通信のための装置であって、
特定のエリア中で動作するとともに、認可共有アクセス（ＡＳＡ）スペクトルとは異なるスペクトル上で動作する複数の第１のワイヤレスデバイスから、測定報告を受信するための手段と、
前記測定報告、構成調節情報、またはそれらの組合せに少なくとも部分的に基づいて、前記ＡＳＡスペクトル上で動作する少なくとも１つの第２のワイヤレスデバイス用の構成を調節するための手段とを備える装置。
［Ｃ３０］  プログラムコードを記録したコンピュータ可読媒体であって、
コンピュータに、特定のエリア中で動作するとともに、認可共有アクセス（ＡＳＡ）スペクトルとは異なるスペクトル上で動作する複数の第１のワイヤレスデバイスから、測定報告を受信させるためのプログラムコードと、
前記コンピュータに、前記測定報告、構成調節情報、またはそれらの組合せに少なくとも部分的に基づいて、前記ＡＳＡスペクトル上で動作する少なくとも１つの第２のワイヤレスデバイス用の構成を調節させるためのプログラムコードとを備えるコンピュータ可読媒体。